(57)【要約】      （修正有）【課題】（イ）  日焼け防止のための帽子は、つばの幅が広すぎると風の抵抗も大きくなり、飛ばされやすくなる。（ロ）  垂れ幕が後頭部だけでは、横顔・横の首筋の日焼け防止にならない。（ハ）  照かえしによる日焼け防止は、全くなされていなかった。以上のような欠点を無くすための垂れ幕型日焼け防止帽子を提供する。【解決手段】（イ）サンバイザーの顔面部分を除く、縁とひさしの部分に、垂れ幕を着脱自在にして取り付ける。（ロ）垂れ幕を３枚仕立てにして、垂れ幕１と２または、垂れ幕１と３の一部分を重ね合わせる。（ハ）垂れ幕２と３の、上部と下部にホックをつける。以上の構成よりなる、垂れ幕型日焼け防止帽子とする。【選択図】図１
2007002382.tif 000002
【特許請求の範囲】
【請求項１】
（イ）帽子の顔面部分を除くふちとひさしの部分に、垂れ幕を着脱自在にして取り付ける。
（ロ）垂れ幕を３枚仕立てにして、垂れ幕１と２または垂れ幕１と３の、１部を重ね合わせる。
（ハ）垂れ幕２または垂れ幕３の下部どうし数カ所を綴じ合わせられるようにしておく。また垂れ幕２と３の幅が調整できるようにしておく。
以上の構成によりなる、垂れ幕型日焼け防止帽子である。
【発明の詳細な説明】
【技術分野】
【０００１】この発明は、帽子の顔面部分を除いたふちとひさし部分に、着脱自在にした３分割された垂れ幕を取り付けた垂れ幕型日焼け防止帽子に関するものである。
【背景技術】
【０００２】従来、日焼け防止用の帽子は、つばの幅を広くしたものが主で、垂れ幕型も、後頭部のみのもので頭部に密着するものしかなかった。
【発明の開示】
【発明が解決しようとする課題】
【０００３】これは次のような欠点があった。
（イ）  つばの幅が広すぎると、風の抵抗も大きくなり、飛ばされやすくなる。叉、つばの幅が深すぎると装着時前方の視界が見えなくなる。
（ロ）  垂れ幕が後頭部だけでは、横顔、横の首筋の日焼け防止になっていなかった。
叉、肌に密着するのでベトベトしていた。
（ハ）  照り返しによる日焼け防止は、全くなされていなかった。
本発明は、以上のような欠点を無くす為に、成されたものである。
【課題を解決するための手段】
【０００４】（イ）  サンバイザーの顔面部分を除くふちとひさしの部分に、垂れ幕を着脱自在にして取り付ける。
（ロ）  垂れ幕を３枚仕立てにして、垂れ幕１と２または垂れ幕１と３の、１部を重ね合わせる。
（ハ）  垂れ幕２と３の下部どうし数カ所を綴じ合わせられるようにしておく。叉垂れ幕２と３の幅の調節ができるようにしておく。
本発明は、以上の構成より成る、垂れ幕型日焼け防止帽子である。
【発明の効果】
【０００５】（イ）  垂れ幕が３分割され、肩のところで、顔面の左右側面と後頭部に分かれます。かつ、耳のあたりで一部重なっているので、首元まですっぽりと日焼け防止になる。
（ロ）  横顔から横の首筋にかけての日焼け防止に優れている。
（ハ）  つばの幅が広すぎると、風に飛ばされやすくなるが、垂れ幕を３分割することによって、風の抵抗も少なくなった。
（ニ）  ひさし部分のふちにも、垂れ幕を取り付けるので、垂れ幕が顔や首に密着せずに、さわやかな付け心地である。
（ホ）  自転車等に乗っているときなどに視界の調節等ができるように、２と３の垂れ幕は折り返しできるようになっています。
（ヘ）  ２または３の垂れ幕の下同士を留め合わせると、顔の照り返しによる日焼け防止になります。
（ト）  帽子等の本体と垂れ幕は数箇所をホックで留めて、着脱自在に構成しているので、その時々にあわせて後頭部のみを使用したり頭部全体をすっぽりカバーしたりできます。
（チ）  サンバイザーが一番利用しやすいと思うが、キャップ、ハット、麦藁帽子等、何にでも使用可能です。
【発明を実施するための最良の形態】
【０００６】以下、本発明を実施するための最良の形態について説明する。
（イ）  サンバイザーの顔面部分を除く、ふちとひさしの部分に等間隔でホックの凸部分を８カ所（１５〜２２）つけておく。
（ロ）  ３分割された垂れ幕１、２、３は、上部を除く３カ所をバイアステープでくるみ、上部を三つ折りにして仕上げる。後頭部中心にゴムを入れ、ギャザー部分を作っておいて、頭周りの長さの調整ができるようにしておく。
（ハ）  垂れ幕にも、ギャザー部分の端を中心として、サンバイザーと同間隔に、ホックの凹部分８カ所（４〜１９）をつける。
（ニ）  垂れ幕が肩でスムーズに前後に分かれるように、３枚仕立てにし、垂れ幕１と２または垂れ幕１と３の一部を重ね合わせて仕立てる。
（ホ）  垂れ幕２と３の垂れ幕の上部にホックの凸部分８カ所（２３〜３０）を取り付け、視界の調整ができるようにする。
（ヘ）  垂れ幕２と３の垂れ幕下部３箇所にホック（１２〜１４，３１〜３３）をつけて、照り返しによる日焼け防止効果を生じさせる。
本発明は、以上のような構造でこれを使用するときは、以下のような利点があります。
（イ）  垂れ幕とサンバイザーのホックを留めて、一体化して装着すると、横からの日焼け防止に特に効果的となる。
（ロ）  垂れ幕の長さと幅を変えると、乳幼児からお年寄りまで、年齢を問わず使用可能である。
（ハ）  屋外での活動、特にスポーツ用、レジャー用、農作業用、散歩に最適です。
（ニ）  サンバイザーのみで使用するときはホックの凹部分８個を飾り用の使途に使えます。宝石、貴金属、キャラクターグッズの小物の飾りを取り付けますと飾り用としてオシャレに、また宣伝になります。
（ホ）  飾り用のホックは一体化して使用するときは、折り返し用のホックの凸部分に飾り用として、また収納として止めておきます
（ヘ）  水泳用として海辺やプールサイドで使用するときはタオル地等、オシャレ用にはＵＶカットされた布地で垂れ幕を作っておくと幾通りにも使用できます。
（ト）  帽子とかサンバイザーはつばが変形しやすいのでたびたび洗濯できないが垂れ幕のみの洗濯は容易で清潔です。
（チ）  後頭部のみの使用の時は側面の垂れ幕を頭上で閉じると邪魔にならず、サンバイザーの場合は頭皮の日焼け防止にもなります。
（リ）  学童の運動会、屋外の活動時に使用すると紫外線の害が叫ばれているときにはうってつけだと思います。
（ヌ）  今回はサンバイザーで、かつ留め具としてホックを使用していますがホックの凹部分はボタンホールにしてホックの凸部分にボタンを縫いつけておくこともできます。もちろんホックの代わりにマジックテープ等も考えられます。
（ル）  サンバイザーで使用時、頭髪部分の日除けには、寸法は２０ｃｍ×６０ｃｍの長方形の布を輪にして片方を絞り、もう片方に緩くゴムを入れて簡易の帽子を作っておくと便利です。
【図面の簡単な説明】
【０００７】
【図１】  本発明の垂れ幕の装着図である。
【図２】  本発明の垂れ幕の表面完成図である。
【図３】  本発明の垂れ幕の裏面完成図と出来上がり寸法である。
【図４】  本発明の日焼け防止帽子を装着時の側面図である。
【図５】  本発明の日焼け防止帽子を装着時の正面図である。
【符号の説明】
【０００８】１．            垂れ幕の右側部分
２．            垂れ幕の後頭部分
３．            垂れ幕の左側面部分
４．〜１１．    ホックの凹部分
１２．〜１４．  ホックの凹部分
１５．〜２２．  ホックの凸部分
２３．〜３０．  ホックの凸部分
３１．〜３３．  ホックの凸部分
【図１】
2007002382.tif 000003
【図２】
2007002382.tif 000004
【図３】
2007002382.tif 000005
【図４】
2007002382.tif 000006
【図５】
2007002382.tif 000007